(57)【要約】【課題】ベッドサイドに設置可能であり、かつ迅速な設置撤去が可能であり、ベッドサイドのデッドスペースを少なくすることができる簡易収納ベッドを提供する。【解決手段】収納展開可能なベッドであって、複数枚の天板用板材３を折り畳み可能に連結した天板２と、天板２を支持する、伸縮可能に設けられた支持フレーム１０と、を備えている。支持フレーム１０を伸長させてその上に天板２を伸展させれば、簡易ベッドを簡単に形成することができる。収納スペースをコンパクトにできるので、保管場所を狭くすることができる。とくに、折り畳んだ状態における天板２の幅を通常使用される棚等の幅や奥行と合わせれば、棚などの一部として使用したり棚に収納したりしておくことも可能となる。【選択図】図１
2016101309.tif 000002
【特許請求の範囲】
【請求項１】
収納展開可能なベッドであって、
伸縮可能であって、伸長状態では上面が略平面状となる天板と、
該天板を支持する、伸縮可能に設けられた支持フレームと、を備えている
ことを特徴とする簡易収納ベッド。
【請求項２】
前記天板が、
複数枚の天板用板材を折り畳み可能に連結したものである
ことを特徴とする請求項１記載の簡易収納ベッド。
【請求項３】
前記支持フレームは、
収縮させた状態における伸縮方向の長さが、折り畳んだ状態における前記天板の奥行と同等以下の長さとなるように形成されている
ことを特徴とする請求項２記載の簡易収納ベッド。
【請求項４】
前記支持フレームは、
一対の側板を有するベースフレームと一対の側板を有する伸長フレームとを伸縮可能に組み合わせて形成されており、
前記伸長フレームは、
前記ベースフレームに対して出し入れ可能となるように設けられており、
前記ベースフレームの一対の側板に沿って移動可能に設けられている
ことを特徴とする請求項２または３記載の簡易収納ベッド。
【請求項５】
前記支持フレームは、
前記ベースフレームから出し入れ可能に設けられた基端側フレームと、
該基端側フレームから出し入れ可能に設けられた先端側フレームと、を備えている
ことを特徴とする請求項４記載の簡易収納ベッド。
【請求項６】
前記支持フレームは、
一対の前記伸長フレームを備えている
ことを特徴とする請求項４記載の簡易収納ベッド。
【請求項７】
前記天板の一の天板用板材が、前記ベースフレームの上面に載せられた状態で該ベースフレームに連結されており、
前記天板の天板用板材は、
前記支持フレームを伸展させた状態において他の天板用板材を伸展させれば、他の天板用板材が前記伸長フレームの上面に配置されるように配設されている
ことを特徴とする請求項４、５または６記載の簡易収納ベッド。
【請求項８】
前記一の天板用板材と前記ベースフレームとを連結する連結部材を備えており、
該連結部材は、
前記一の天板用板材を前記ベースフレームに対して起伏可能に連結し得るものである
ことを特徴とする請求項７記載の簡易収納ベッド。
【請求項９】
前記支持フレームが、
入れ子状に設けられた複数の箱状部材から形成されており、
前記天板が、
複数の箱状部材の天井壁によって形成されている
ことを特徴とする請求項１記載の簡易収納ベッド。
【発明の詳細な説明】
【技術分野】
【０００１】
本発明は、簡易収納ベッドに関する。さらに詳しくは、病院での付添や被災地等において使用できる簡易収納ベッドに関する。
【背景技術】
【０００２】
病院では、患者が入院した場合、病室に親族などが泊まり込んで付添を行う場合がある。この場合、付添者が休息をどのようにとるかが問題となる。個室であれば、専有できる空間がある程度広く取れるので、付添者が休息するための簡易ベッドやソファーベッド等を設置することができる。一方、複数人が入院している大部屋では、個々の患者が使用できるスペースが限られている。このため、付添者のための簡易ベッド等を設置することは難しく、付添者は床に直接横になったりパイプ椅子等を並べてその上に横になったりして、休息を取らなければならない。すると、入院患者よりも付添者の負担が大きくなり、付添疲れで付添者が体調を崩してしまうことがある。したがって、ベッドサイドに設置してもスペースを取らず、また、大部屋にも設置できるようなベッドがあれば、非常に有効である。
【０００３】
ところで、コンパクトに収納できるベッドは、種々開発されている。例えば、複数の部品を組み立て使用するベッド（組み立て式ベッド）や、天板を２つ折りや３つ折りに折り畳んで収納するベッドなどが多数開発されている。
【０００４】
しかし、組み立て式ベッドの場合、通常、収納や組み立てに時間を要する。一方、病室では、緊急な処置のために医師や付添師などの作業スペースをベッドサイドに確保しなければならない場合がある。このため、ベッドに設置するベッドには、緊急時には迅速に撤去できることが要求されるが、従来の組み立て式のベッドではそのような要求には対応できない。
【０００５】
また、ベッドの天板を２つ折りや３つ折りに折り畳んで収納するベッドの場合、迅速な撤去などの要求には対応できると考えられるが、折り畳んで収納するためには、ベッドを持ち上げて折り畳まなければならず、収納のための作業負担が大きくなる。しかも、従来の折り畳みベッドは、一般的な大きさのベッドを２つまたは３つに折り畳んでいるにすぎないものが多く、広い設置スペースや収納スペースが必要になる。そして、収納した状態では、その収納スペースはデッドスペースになってしまい、狭いベッドサイドを有効に活用することができない。
【０００６】
上記のごとき要求に応じて、設置等の作業負担を軽減でき設置および収納スペースを小さくできるベッドとして、特許文献１の技術が開発されている。
【０００７】
特許文献１のソファーベッドは、中空体状の外ケースと、この外ケースの中空部に対して相対的に出し入れ自在な内ケースとを具備したものである。このソファーベッドでは、内ケースを外ケースの中空部に収容すればソファーベッドとして使用でき、内ケースを外ケースから引き出せば簡易ベッドとして使用できる旨が開示されている。そして、内ケースを引き出すだけで簡易ベッドを形成できるので、使用者の手間及び操作の際の負担を大幅に軽減できる旨が記載されている。
【先行技術文献】
【特許文献】
【０００８】
【特許文献１】登録実用新案第３０３７９２２号公報
【発明の概要】
【発明が解決しようとする課題】
【０００９】
確かに、特許文献１のソファーベッドは、従来のソファーベッドに比べれば収納スペースを小さくでき、しかも、設置や撤去が容易になると考えられる。しかし、特許文献１のソファーベッドでも、通常時は椅子として設置されるので、その部分のスペースは占有された状態となる。しかも、特許文献１のソファーベッドでは、内ケースを外ケースから引き出した状態の大きさ、つまり、外形がベッドとしての大きさになるように形成されている。このため、内ケースを外ケースに収納した状態でもある程度の大きさが必要となるため、椅子として使用した状態でのスペースはそれほど小さくできない。
【００１０】
もし、収納および設置が容易であり、しかも収納スペースを取らない簡易ベッドがあれば、医療行為の障害となることなく、様々な病室に設置することができる。
【００１１】
本発明はかかる事情に鑑み、ベッドサイドに設置可能であり、迅速な設置撤去が可能であり、ベッドサイドのデッドスペースを少なくすることができる簡易収納ベッドを提供することを目的とする。
【課題を解決するための手段】
【００１２】
第１発明の簡易収納ベッドは、収納展開可能なベッドであって、伸縮可能であって、伸長状態では上面が略平面状となる天板と、該天板を支持する、伸縮可能に設けられた支持フレームと、を備えていることを特徴とする。
第２発明の簡易収納ベッドは、第１発明において、前記天板が、複数枚の天板用板材を折り畳み可能に連結したものであることを特徴とする。
第３発明の簡易収納ベッドは、第２発明において、前記支持フレームは、収縮させた状態における伸縮方向の長さが、折り畳んだ状態における前記天板の奥行と同等以下の長さとなるように形成されていることを特徴とする。
第４発明の簡易収納ベッドは、第２または第３発明において、前記支持フレームは、
一対の側板を有するベースフレームと一対の側板を有する伸長フレームとを伸縮可能に組み合わせて形成されており、前記伸長フレームは、前記ベースフレームに対して出し入れ可能となるように設けられており、前記ベースフレームの一対の側板に沿って移動可能に設けられていることを特徴とする。
第５発明の簡易収納ベッドは、第４発明において、前記伸長フレームは、前記ベースフレームから出し入れ可能に設けられた基端側フレームと、該基端側フレームから出し入れ可能となるように配設された先端側フレームと、を備えていることを特徴とする。
第６発明の簡易収納ベッドは、第４発明において、前記支持フレームは、一対の前記伸長フレームを備えていることを特徴とする。
第７発明の簡易収納ベッドは、第４、第５または第６発明において、前記天板の一の天板用板材が、前記ベースフレームの上面に載せられた状態で該ベースフレームに連結されており、前記天板の天板用板材は、前記支持フレームを伸展させた状態において他の天板用板材を伸展させれば、他の天板用板材が前記伸長フレームの上面に配置されるように配設されていることを特徴とする。
第８発明の簡易収納ベッドは、第７発明において、前記一の天板用板材と前記ベースフレームとを連結する連結部材を備えており、該連結部材は、前記一の天板用板材を前記ベースフレームに対して起伏可能に連結し得るものであることを特徴とする。
第９発明の簡易収納ベッドは、第１発明において、前記支持フレームが、入れ子状に設けられた複数の箱状部材から形成されており、前記天板が、複数の箱状部材の天井壁によって形成されていることを特徴とする。
【発明の効果】
【００１３】
第１発明によれば、支持フレームを伸長させてその上に天板を伸展させれば、簡易ベッドを簡単に形成することができる。
第２発明によれば、折り畳んだ状態の天板用板材を展開して板状の天板を形成するので、簡易ベッドを簡単に形成することができる。
第３発明によれば、収納スペースをコンパクトにできるので、保管場所を狭くすることができる。とくに、折り畳んだ状態における天板の奥行を通常使用される棚等の奥行と合わせれば、棚などの一部として使用したり棚に収納したりしておくことも可能となる。
第４発明によれば、伸長フレームとベースフレームを相対的にスライドさせるだけで支持フレームを伸長収縮させることができる。しかも、伸長フレームとベースフレームは、互いの側板に沿って移動するので、安定して支持フレームを伸長させることができる。したがって、ベッドを設置する作業を簡単かつ短時間で行うことができる。
第５発明によれば、ベースフレーム、基端側フレームおよび先端側フレームを短くしても、支持フレームを伸長したときに、十分な長さとすることができる。したがって、収納スペースを小さくしつつ、人が休息を取るうえで十分な広さのベッドを設置することができる。
第６発明によれば、ベースフレームおよび一対の伸長フレームを短くしても、支持フレームを伸長したときにおける支持フレームの長さを長くすることができる。したがって、収納スペースを小さくしつつ、人が休息を取るうえで十分な広さのベッドを設置することができる。
第７発明によれば、天板と支持フレームとが連結されているので、ベッドの設置および折り畳み作業をより簡単かつ容易にすることができる。しかも、天板を伸展させるだけで天板と支持フレームを適切な位置に配置できるので、ベッドを形成する作業が容易になる。
第８発明によれば、簡易ベッドでありながら、休息を取る人がより快適に休むことができる。
第９発明によれば、支持フレームを引き出すだけで、上面が略平面になった天板も形成することができる。したがって、簡易ベッドを形成する作業をより簡単にすることができる。
【図面の簡単な説明】
【００１４】
【図１】本実施形態の簡易収納ベッド１の収納状態の概略斜視図である。
【図２】本実施形態の簡易収納ベッド１を設置する状況の概略説明図であり、（Ａ）は支持フレーム１０を伸ばした状態の概略説明図であり、（Ｂ）は支持フレーム１０上に天板２を展開した状態の概略説明図である。
【図３】支持フレーム１０の概略平面図であり、（Ａ）は収縮した状態であり、（Ｂ）は伸長した状態である。
【図４】（Ａ）は本実施形態の簡易収納ベッド１の概略側面図であり、（Ｂ）は本実施形態の簡易収納ベッド１の概略断面図であり、（Ｃ）、（Ｄ）は他の支持フレーム１０を採用した場合の簡易収納ベッド１の概略断面図である。
【図５】支持フレーム１０の他の例を示した図である。
【図６】支持フレーム１０の他の例を示した図である。
【図７】他の実施形態の簡易収納ベッド１Ｂの収納状態の概略斜視図である。
【図８】他の実施形態の簡易収納ベッド１Ｂを設置する状況の概略説明図である。
【図９】異なる天板用部材３ａ〜３ｃを採用した天板２を有する簡易収納ベッド１の概略説明図である。（Ａ）は支持フレーム１０および天板２を収縮させた状態の概略側面図であり、（Ｂ）は支持フレーム１０および天板２を収縮させた状態の概略正面であり、（Ｃ）は支持フレーム１０および天板２を収縮させた状態の概略側図面である。
【図１０】支持フレーム１０の他の例を示した図である。
【図１１】他の実施形態の簡易収納ベッド１Ｃの概略説明図であって、（Ａ）は支持フレーム１０を伸ばした状態の斜視図であり、（Ｂ）は支持フレーム１０を収縮させた状態の斜視図であり、（Ｃ）は支持フレーム１０を収縮させた状態の側面図であり、（Ｄ）は支持フレーム１０を伸ばした状態の側面図である。
【図１２】他の実施形態の簡易収納ベッド１Ｃにおいて異なる支持フレーム１０を採用した場合の概略説明図であって、（Ａ）は支持フレーム１０を伸ばした状態の斜視図であり、（Ｂ）は支持フレーム１０を収縮させた状態の斜視図であり、（Ｃ）は支持フレーム１０を収縮させた状態の正面図であり、（Ｄ）は支持フレーム１０を伸ばした状態の側面図である。
【発明を実施するための形態】
【００１５】
本発明の簡易収納ベッドは、設置スペースや収納スペースを十分に確保できない場所でも保管使用することができるベッドであり、設置や収納を容易にしたことに特徴を有している。
【００１６】
本発明の簡易収納ベッドを使用する場所はとくに限定されず、仮眠等を取るためのスペース等に設置して使用することができる。業種や作業によっては、作業者が適宜仮眠等を取ることが必要となる場合がある。かかる業種や作業を行う事務所や作業所等であって、作業者が休息を取るために使用する場所であるが、通常時は作業スペースとして使用しなければならない場所などに本発明の簡易収納ベッドを設置することができる。例えば、病室のベッドサイドや医療スタッフの控室、ワンルームマンションなどを本発明の簡易収納ベッドを使用する場所として挙げることができる。もちろん、本発明の簡易収納ベッドを使用する場所は上記のような場所に限定されない。
【００１７】
また、本発明の簡易収納ベッドは、保管場所を小さくできるので、災害時の避難場所などにおいて非常用に保管しておき、災害時に簡易ベッドとして使用するようにしてもよい。
【００１８】
（本実施形態の簡易収納ベッド１）
図１および図２に示すように、本実施形態の簡易収納ベッド１は、天板２と、支持フレーム１０と、を備えている。
【００１９】
（天板２）
図１および図２に示すように、天板２は、複数枚の天板用板材３から形成された部材である。複数枚の天板用板材３は実質的に同じ形状を有する板材であり、隣接する天板用板材３同士を重ねることができるように連結されている。例えば、隣接する天板用板材３の端縁同士を蝶番によって連結する。すると、隣接する天板用板材３を連結したまま、隣接する天板用板材３の表面同士が面接触した状態となるように、複数枚の天板用板材３を重ねておくことができる。この状態が、天板２を折り畳んだ状態に相当する（図１および図２（Ａ）参照）。
【００２０】
（支持フレーム１０）
図１および図２に示すように、支持フレーム１０は、ベースフレーム１１と、ベースフレーム１１に対して出し入れ可能に設けられた伸長フレーム１５と、を備えている。つまり、支持フレーム１０は、ベースフレーム１１から伸長フレーム１５を出し入れする長さを変化させることによって、その長さを変化させることができるように設けられている（図２参照）。
【００２１】
（ベースフレーム１１）
図３に示すように、ベースフレーム１１は、平面視略コの字状に形成された部材である。具体的には、一対の側板１２ａ，１２ｂと、この一対の側板１２ａ，１２ｂの基端間を連結する連結板１３と、から構成されている。このベースフレーム１１は、その幅Ｗ１（一対の側板１２ａ，１２ｂの外面間の距離）は、天板用板材３の幅Ｗ２（図２（Ａ）参照）と同等もしくはわずかに短くなるように形成されている。また、ベースフレーム１１は、その奥行Ｄ１（連結板１３の背面から一対の側板１２ａ，１２ｂの先端までの距離）は、天板用板材３の奥行Ｄ２（図２（Ａ）参照）と同等もしくはわずかに短くなるように形成されている。しかも、ベースフレーム１１の一対の側板１２ａ，１２ｂと連結板１３は同じ高さ（または一対の側板１２ａ，１２ｂが同じ高さ）となるように形成されている（図４参照）。
【００２２】
そして、ベースフレーム１１の上面には天板２が配置されており、天板２における複数の天板用板材３のうち、一の天板用板材３がベースフレーム１１と連結されている。具体的には、天板２における複数の天板用板材３のうち、一方の端部に位置する天板用板材３がベースフレーム１１と連結されている。しかも、天板用板材３は、複数の天板用板材３を伸展する方向がベースフレーム１１の開口の方向（図２では矢印ａの方向）となるように連結されている。
【００２３】
（伸長フレーム１５）
以上のように、ベースフレーム１１と天板２における一の天板用板材３によって、中空かつ正面に開口を有する箱状の構造体が形成されている。この箱状の構造体の内部（つまりベースフレーム１１の一対の側板１２ａ，１２ｂ間）には、伸長フレーム１５が、開口から出し入れ可能となるように配置されている。
【００２４】
図２〜図４に示すように、伸長フレーム１５は、基端側フレーム１６と、基端側フレーム１６に対して出し入れ可能に設けられた先端側フレーム１７と、を備えている。つまり、伸長フレーム１５は、基端側フレーム１６から先端側フレーム１７を出し入れする状況を変化させることによって、その長さを変化させることができるような構造を有している。
【００２５】
（基端側フレーム１６）
基端側フレーム１６は、一対の側板１６ａ，１６ｂを備えている。一対の側板１６ａ，１６ｂは、その高さがベースフレーム１１の高さ（つまり、ベースフレーム１１の一対の側板１２ａ，１２ｂの高さ）と同じ高さになるように形成されている（図４参照）。
【００２６】
また、一対の側板１６ａ，１６ｂは、ベースフレーム１１の一対の側板１２ａ，１２ｂに沿って移動可能となるように、一対の側板１２ａ，１２ｂにそれぞれ連結されている。例えば、一対の側板１２ａ，１２ｂの内面にレールを設け、そのレールに摺動可能に係合した溝を一対の側板１６ａ，１６ｂの外面に設けておく（図２参照）。すると、基端側フレーム１６をベースフレーム１１の一対の側板１２ａ，１２ｂに沿って、ベースフレーム１１の開口から出し入れすることができる。
なお、一対の側板１６ａ，１６ｂをベースフレーム１１の一対の側板１２ａ，１２ｂに沿って移動可能となるように連結する方法は、とくに限定されない。
【００２７】
（先端側フレーム１７）
先端側フレーム１７は、一対の側板１７ａ，１７ｂと、この一対の側板１７ａ，１７ｂの先端間を連結する先端プレート１８を備えている。この一対の側板１７ａ，１７ｂと先端プレート１８は、ベースフレーム１１の高さおよび基端側フレーム１６の一対の側板１６ａ，１６ｂの高さと同じ高さになるように形成されている（図４参照）。
【００２８】
また、一対の側板１７ａ，１７ｂは、基端側フレーム１６の一対の側板１６ａ，１６ｂに沿って移動可能となるように、一対の側板１６ａ，１６ｂにそれぞれ連結されている。例えば、一対の側板１６ａ，１６ｂの内面にレールを設け、そのレールに摺動可能に係合した溝を一対の側板１７ａ，１７ｂの外面に設けておく（図２参照）。すると、先端側フレーム１７を基端側フレーム１６の一対の側板１６ａ，１６ｂに沿って、基端側フレーム１６の一対の側板１６ａ，１６ｂの先端か間から出し入れすることができる。
なお、一対の側板１７ａ，１７ｂをベースフレーム１１の一対の側板１６ａ，１６ｂに沿って移動可能となるように連結する方法は、とくに限定されない。
【００２９】
以上のごとき構成であるので、本実施形態の簡易収納ベッド１では、基端側フレーム１６をベースフレーム１１の開口から引き出し、かつ、先端側フレーム１７を基端側フレーム１６から引き出せば、支持フレーム１０を伸長することができる（図２（Ａ））。
【００３０】
そして、支持フレーム１０が伸長したのち、天板２を展開すれば、支持フレーム１０が伸長した方向に沿って天板２を伸ばすことができる。すると、天板２が板状になり、板状になった天板２を支持フレーム１０上に配置できるから、簡単に簡易ベッドを形成することができる（図２（Ｂ））。
【００３１】
逆に、隣接する天板用板材３間で天板２を折れば、天板２をベースフレーム１１上に折り畳んだ状態で配置することができる（図２（Ａ））。
【００３２】
そして、引き出していた基端側フレーム１６を先端側フレーム１７内に押し込み、基端側フレーム１６をベースフレーム１１内に押し込めば、元の収容状態（収縮した状態）に戻すことができる（図１）。
【００３３】
そして、本実施形態の簡易収納ベッド１では、基端側フレーム１６をベースフレーム１１の開口から突出させたときに、ベースフレーム１１の上端と基端側フレーム１６の上端がほぼ同じ高さになる。また、先端側フレーム１７を基端側フレーム１６から突出させたときに、基端側フレーム１６の上端と先端側フレーム１７の上端がほぼ同じ高さになる。つまり、支持フレーム１０を伸長したときに、ベースフレーム１１の上端、基端側フレーム１６の上端、および先端側フレーム１７の上端を、ほぼ同一面上に位置するように配置することができる（図４（Ａ）、（Ｂ）参照）。すると、伸展した天板２を伸長した支持フレーム１０に載せたときに、天板２を安定した状態（がたつきがないまたは少ない状態）で配置することができる。したがって、人が天板２上に寝た場合でも、天板２が不安定な状態にならず、寝心地が悪くなることを防ぐことができる。
【００３４】
なお、天板２を安定した状態（がたつきがないまたは少ない状態）で配置することができるのであれば、ベースフレーム１１の上端、基端側フレーム１６の上端、および先端側フレーム１７の上端の全てが同じ高さにならなくてもよい。例えば、ベースフレーム１１の上端と先端側フレーム１７の上端は同じ高さであるが、基端側フレーム１６の上端はそれよりも低くなるようにしてもよい（図４（Ｄ）参照）。また、ベースフレーム１１の一対の側板１２ａ，１２ｂの上端と先端側フレーム１７の先端プレート１８の上端だけが同じ高さになるようにして、他の部材の上端はこれらの部材よりも低くなるようにしてもよい。この場合でも、基端２点と先端１点の３点で天板２を支持できるので、ある程度安定した状態で天板２を配置することができる（図４（Ｃ）参照）。
【００３５】
（物品の収容空間）
なお、上記例では、先端側フレーム１７が、一対の側板１７ａ，１７ｂと先端プレート１８を有する場合を説明したが、一対の側板１７ａ，１７ｂ間に底板１９を設けてもよい。かかる底板１９を設ければ、先端側フレーム１７内に物品を収容できるスペースを設けることができる。例えば、このスペースを、天板２を伸展したときにその上に載せるマットや枕などの物品を収容するスペースとして利用することができる。この場合、先端側フレーム１７を基端側フレーム１６から引き出せば、一対の側板１７ａ，１７ｂ間に開口ができるので、その開口から物品を入れることができる。また、図１に示すように、先端プレート１８に開口を設けておけば、先端側フレーム１７を引き出さなくても、先端プレート１８の開口を通して前記空間内に物品を出し入れすることが可能になる。
【００３６】
（天板２について）
天板２を構成する天板用板材３の枚数はとくに限定されない。図１および図２では、天板用板材３が３枚の場合を説明しているが、天板用板材３は２枚でもよいし、４枚以上でもよい。収納スペースを小さくしつつ伸展した状態での面積を広くするのであれば、天板用板材３の枚数は多い方がよい。
【００３７】
また、天板用板材３は、天板２を伸展した状態において、隣接する天板用板材３の端面同士の間に隙間ができてもよいが、隣接する天板用板材３の端面同士が面で接触するように連結することが望ましい。このようにすれば、天板２を伸展したときに、隣接する天板用板材３間に隙間ができない状態とすることができる。例えば、天板用板材３同士を蝶番によって連結する場合であれば、天板用板材３の端面に蝶番を収容しうる凹みを形成し、その凹みに蝶番を取り付けるようにする。すると、天板２を伸展したときに、蝶番は凹みに収容された状態となる。したがって、天板用板材３の端面に蝶番を取り付けても、天板２を伸展したときに、天板用板材３の端面同士を面で接触させた状態（つまり、隣接する天板用板材３間に隙間ができない状態）とすることができる。
【００３８】
さらに、隣接する天板用板材３を連結する方法はとくに限定されない。隣接する天板用板材３の表面同士を面で接触させた状態で折り畳むことができるように、隣接する天板用板材３同士が連結されていればよい。例えば、隣接する天板用板材３同士を紐などで繋いでもよい。また、一方の天板用板材３の端縁部に係合溝を形成し、他方の天板用板材３の端縁部に、この係合溝に挿入し得る突起部を形成する。そして、係合溝に突起部を挿入した状態で、係合溝内で突起部が揺動できるように形成する。このような構造で連結しても、隣接する天板用板材３の表面同士が面で接触した状態となるように折り畳むことは可能となる。
【００３９】
天板用板材３の素材はとくに限定されず、人が上に載って横になっても耐えうる強天板用板材３を形成すれば、伸展したときに見栄えがよくなる。また、金属を使用すれば、厚さを薄くしても強度を高くすることができる。ＣＦＲＰ（炭素繊維強化プラスチック）を使用すれば、厚さを大幅に薄くしても（例えば数ｍｍ程度）としても、人が乗ったときでも変形しない程度の強度とすることができる。
【００４０】
さらに、上記例では、複数の天板用板材３を折り畳み可能に連結して天板２を形成した場合を説明した。しかし、天板２は、図９に示すような構造としてもよい。
【００４１】
図９では、天板用部材３として、上板と上板の下面に一対の側板を有する部材（以下台状部材３ａという）によって形成してもよい。この場合、台状部材３ａの下側には、上板と一対の側板に囲まれた空間が形成されるので、この空間に台状部材３ａと略相似形かつ小型の台状部材３ｂを収納しておくことができる。また、台状部材３ｂの空間にも、台状部材３ｂと略相似形かつ小型の台状部材３ｃを収納しておくことができる（図９（Ｂ））。すると、台状部材３ａから台状部材３ｂおよび台状部材３ｃを引き出せば、長尺な天板２を形成することができる（図９（Ｃ））。
この場合、天板２の上面には、台状部材３ａと台状部材３ｂの境界や、台状部材３ｂと台状部材３ｃの境界に、上板の厚さｔ分の段差ができる。しかし、天板２の上面にマットレスなどを載せれば、厚さｔがそれほど厚くなければ、天板２の上面が段差のない平坦面の場合と同程度の寝心地を確保することができる。例えば、台状部材の上板や台状部材全体をＣＦＲＰ（炭素繊維強化プラスチック）で形成すれば、厚さｔは１ｍｍ以下にすることも可能である。すると、台状部材３ａと台状部材３ｂの境界や台状部材３ｂと台状部材３ｃの境界に段差があっても、天板２の上面を、ほぼ平坦面とすることができる。
【００４２】
また、天板２を、アコーデオン状の部材によって形成してもよい。この場合でも、天板２を伸ばせば、一枚の板状（またはシート状）とすることができるし、折り畳めはコンパクトに収納することができる。かかる構造の場合も、天板２の折り目の部分に若干の凹凸が形成されるが、天板２の上面は、ほぼ平坦面とみなすことができる。
【００４３】
なお、特許請求の範囲にいう略平面状とは、上述したような非常に小さい段差が形成されている場合や、小さい隙間、若干の凹凸がある状態をも含む概念である。
【００４４】
（支持フレーム１０について）
上記例では、支持フレーム１０として、ベースフレーム１１と伸長フレーム１５とを有し、かつ、伸長フレーム１５が基端側フレーム１６と１つの先端側フレーム１７とを有する場合を説明した。上記構造の場合、支持フレーム１０を伸長すると、ベースフレーム１１の奥行の３倍程度の長さまで支持フレーム１０を伸長できる。
【００４５】
一方、伸長フレーム１５に先端側フレーム１７を複数設ければ、支持フレーム１０を収縮した状態における長さをより短くできる。図５（Ａ）に示すように、伸長フレーム１５に、一対の側板からなるフレーム（実質的に基端側フレーム１６と同等の構造を有するフレーム）を複数設け（図５（Ａ）では３段）、これら複数のフレームを略テレスコピック状に配置する。すると、支持フレーム１０を伸長したときに、ベースフレーム１１の奥行の数倍以上の長さにすることができる。つまり、ベースフレーム１１の奥行を短くしても、簡易ベッドとしたときにおけるベッドの長さを長くできる。すると、収納状態での専有スペースを小さくしつつ、人がより快適に休息できる簡易ベッドを提供できる。例えば、天板用板材３の幅を５００〜８００ｍｍ程度、奥行を４００〜６００ｍｍ程度とした場合には、収容状態での天板２の大きさ（平面視の大きさ）をベッドサイドの棚の幅や奥行と同等にできる。この場合、支持フレーム１０の幅および奥行きが上記天板用板材３の幅および奥行と同等または若干小さくなるように、各フレームを形成する。すると、ベッドサイドの棚に簡易収納ベッド１を収納することができるし、簡易収納ベッド１を予め備え付けた棚を形成することも可能となる。
【００４６】
一方、収納状態での専有スペースをある程度広くとることができる場合や、子供や身長の低い人等のように、ベッドの長さが短くてもよい人が使用する場合等には、伸長フレーム１５に先端側フレーム１７を設けなくてもよい。つまり、基端側フレーム１６だけで伸長フレーム１５を形成してもよい（図５（Ｂ）参照）。この場合には、一対の側板１６ａ，１６ｂの先端間に先端プレート１８を設ける。すると、伸長フレーム１５を、一対の側板１６ａ，１６ｂと先端プレート１８からなるコの字状の構造体とできるので、伸長フレーム１５を安定した状態に形成できる。なお、一対の側板１６ａ，１６ｂ間に底板１９を設ければ、伸長フレーム１５内（一対の側板１６ａ，１６ｂ間の空間）に物品を収容するスペースを設けることができる。
【００４７】
また、上記例では、一つの伸長フレーム１５を設けた場合を説明したが、ベースフレーム１１に対して出し入れできる伸長フレーム１５を、２つ設けてもよい。つまり、支持フレーム１０が、一対の伸長フレーム１５,１５を備えていてもよい。例えば、ベースフレーム１１に連結板１３を設けず、一対の側板１２ａ，１２ｂの基端間にも開口（基端側開口）を設ける。そして、基端側開口から出し入れできる伸長フレーム１５を設ける。すると、一対の伸長フレーム１５,１５を引き出せば、ベースフレーム１１の両側に伸長フレーム１５を配置することができる。この場合、一対の伸長フレーム１５，１５の一対の側板１６ａ，１６ｂ同士が干渉する可能性があるが、図５（Ｃ）に示すようにすれば両者の干渉を防ぐことができる。つまり、伸長フレーム１５を一つだけ設ける場合に比べて、一対の側板１６ａ，１６ｂの高さを低くする。そして、各ベースフレーム１１内において、側板１６ａ同士および側板１６ｂ同士が上下に並ぶように配置すれば、一対の伸長フレーム１５，１５の一対の側板１６ａ，１６ｂ同士が干渉しないようにすることができる。
【００４８】
また、図１０（Ａ）、（Ｂ）のような構造として、ベースフレーム１１に対して出し入れできる伸長フレーム１５を、２つ設けてもよい。つまり、ベースフレーム１１の両側に、伸長フレーム１５を収容できる空間をそれぞれ設ける。そして、各空間に、図１０（Ａ）や図１０（Ｂ）に示すような伸長フレーム１５を設ければ、ベースフレーム１１の両側に伸長フレーム１５を配置することができる。
【００４９】
（支持フレーム１０の他の例について）
上記例では、支持フレーム１０が、ベースフレーム１１と伸長フレーム１５とを有する場合を説明した。しかし、支持フレーム１０は、伸縮可能に設けられておればよく、必ずしも上述したような伸長フレーム１５を有していなくてもよい。
【００５０】
例えば、図６に示すように、ベースフレーム１１内に収容可能に設けられた伸縮部２１を設けてもよい。図６（Ａ）および図６（Ｂ）では、左右一対の伸縮部２１ａ,２１ｂを設けた例を示している。左右一対の伸縮部２１ａ,２１ｂは、複数枚の板材２１ｐをアコーデオン状に連結したものである。左右一対の伸縮部２１ａ,２１ｂは、基端はベースフレーム１１の側壁１１ａ，１１ｂにそれぞれ連結されており、先端は、先端プレート２２に連結されている。そして、伸縮部２１を構成する全てまたは一部の板材２１ｐは、ベースフレーム１１の高さとほぼ同じ高さを有している。また、先端プレート２２も、ベースフレーム１１の高さとほぼ同じ高さを有している。かかる構成とすれば、ベースフレーム１１と、先端プレート２２と、左右一対の伸縮部２１ａ,２１ｂと、によって、天板２を支持できる。しかも、伸長フレーム１５を設ける場合に比べて、支持フレーム１０を収縮させたときの長さを短くできる可能性がある。
【００５１】
また、伸縮部２１の構成は、図６（Ｃ）に示すような構成としてもよい。つまり、左右一対の伸縮部２１ａ,２１ｂとして、細い板材等を組み合わせて形成されたパンタグラフ状のものを採用してもよい。この場合には、伸縮部２１ａ,２１ｂで天板２を支持することは難しいので、ベースフレーム１１と先端プレート２２だけで天板２を支持する必要がある。したがって、先端プレート２２として、先端プレート２２を自立させるための脚を有するものを採用することが望ましい。
【００５２】
さらに、伸縮部２１は中央部だけに設けてもよい。この場合でも、ベースフレーム１１と先端プレート２２だけで天板２を支持できるように構成されていれば、天板２を安定した状態で伸展しておくことができる。つまり、天板２上に人が寝ても、安定して人の体重を支えることができる。
【００５３】
もちろん、先端プレート２２とは別に、天板２を支持する支持脚を別途設けてもよい。例えば、天板用板材３の裏面（伸展したときに床側を向く面）に凹みを設け、その凹み内に収容でき、必要な時に立てることができるような支持脚を設けてもよい。すると、ベースフレーム１１と支持脚によって天板２を支持できる。
【００５４】
（天板２の天板用板材３と支持フレーム１０のベースフレーム１１の連結）
上記例では、天板２の天板用板材３と支持フレーム１０のベースフレーム１１が連結されている場合を説明したが、天板２は支持フレーム１０に連結されていなくてもよい。しかし、上述したように天板２の天板用板材３と支持フレーム１０のベースフレーム１１が連結されていれば、ベースフレーム１１と天板用板材３とによって箱状の構造体が形成される。すると、簡易収納ベッド１をベッド状にしたときの安定性を向上することができる。そして、天板２の天板用板材３と支持フレーム１０のベースフレーム１が連結されていれば、支持フレーム１０を伸ばした後、天板２を伸ばす作業が容易になる。つまり、一部の天板用板材３がベースフレーム１１に連結されているので、天板２を伸展する際に天板２全体が支持フレーム１０に対して移動することがない。したがって、支持フレーム１０上における天板２の位置がずれることを気にせずに天板２を伸展できるので、天板２を伸ばす作業をより簡単かつ容易にすることができる。もちろん、天板２を折り畳む際にも、天板２とベースフレーム１１の位置がずれないので、天板２を折り畳む作業もより簡単かつ容易にすることができる。
【００５５】
また、天板２の天板用板材３と支持フレーム１０のベースフレーム１１は、完全に固定されていてもよいし、着脱可能に設けられていてもよい。着脱可能とした場合でも、両者を連結したときに両者の相対的な移動を固定できるようになっていれば、簡易収納ベッド１をベッド状にしたときの安定性を向上することができるし、簡易収納ベッド１の収納展開をより容易にすることができる。
【００５６】
さらに、支持フレーム１０のベースフレーム１１と天板２の天板用板材３を連結する場合には、ベースフレーム１１に対して天板用板材３が揺動可能となるように連結してもよい。かかる構造とする場合には、天板２を構成する複数枚の天板用板材３のうち、端部に配置される天板用板材３をベースフレーム１１に連結する。しかも、隣接する天板用板材３と逆側の端部がベースフレーム１１に対して接近離間するように連結する。つまり、天板用板材３が、ベースフレーム１１に対して起伏可能となるように連結する。すると、簡易収納ベッド１はリクライニング機能を付与したベッドになるので、使用する人が自分にとって楽な姿勢で休息を取ることが可能になる。つまり、簡易ベッドでありながら、休息を取る人がより快適に休むことができるようになる。かかる構造となるように天板用板材３とベースフレーム１１を連結する連結部材や連結方法はとくに限定されない。例えば、２つの部材（板材など）がなす角度を変更できしかも所定の角度で固定できる公知の器具（連結部材）を使用すれば、天板用板材３とベースフレーム１１を上記のごとき機能を有するように連結することができる。
【００５７】
（他の実施形態の簡易収納ベッド１Ｂ）
本発明の簡易収納ベッドは、保管場所を小さくできるので、災害時の避難場所などにおいて非常用に保管しておき、災害時に簡易ベッドとして使用するようにしてもよい。
【００５８】
とくに、収納状態において持ち運びが容易な構造とすれば、保管場所から使用場所への搬送も容易になる。例えば、ベースフレーム１１にキャスターなど設けておけば、簡易収納ベッドの移動が容易になる。
【００５９】
また、簡易収納ベッド１Ｂを図７に示すような構造にすれば、持ち運びや保管がしやすくなるので好ましい。
【００６０】
図７に示す簡易収納ベッド１Ｂでは、上述した簡易収納ベッド１のベースフレーム１１をスーツケース状に形成したものである。簡単にいえば、収納状態では、概観がスーツケースのように見える構造に簡易収納ベッド１Ｂを形成したものである。
【００６１】
この簡易収納ベッド１Ｂは、ベースフレーム１１の一対の側板１２ａ，１２ｂの外面に、一対のカバー部材Ｃａ，Ｃｂが設けられている。この一対のカバー部材Ｃａ，Ｃｂは、その高さが収納状態におけるベースプレート１１の底面から天板２の上面までの長さよりも長くなっている。具体的には、このカバー部材Ｃａ，Ｃｂは、上端が天板２の上面よりも上方に突出し、下端がベースプレート１１の底面よりも下方に突出している。また、一対のカバー部材Ｃａ，Ｃｂには、その側面に取手ｈとキャスターｃが設けられている。
【００６２】
また、一対のカバー部材Ｃａ，Ｃｂの下端間には、ベースフレーム１１の底面を覆うように底面カバーＣｃが設けられている。
【００６３】
一方、一対のカバー部材Ｃａ，Ｃｂの上端間には、天板２の上面を覆うことができる上部カバーＣｄが設けられている。この上部カバーＣｄは、一対のカバー部材Ｃａ，Ｃｂに揺動可能に取り付けられている。具体的には、天板２の上面を覆った状態（収容状態、図７（Ａ））と、天板２の上面が露出した状態（使用状態、図８）と、の間で揺動できるように設けられている。
【００６４】
かかる構造とすれば、上部カバーＣｄを収容状態とした状態でキャスターｃを下にして簡易収納ベッド１Ｂを立てれば（図７（Ｂ））、キャスターｃを転動させながら簡易収納ベッド１Ｂを移動させることができる。取手ｈをもって簡易収納ベッド１Ｂを容易に移動させることができる。また、取手ｈを持てば、簡易収納ベッド１Ｂを持ち上げて運ぶこともできる。すると、簡易収納ベッド１Ｂを保管している場所などから使用場所に移動させる作業が容易になる。しかも、使用場所では、上部カバーＣｄを使用状態とすれば、上述した簡易収納ベッド１と同様に、簡単にベッドを形成することができる。
【００６５】
なお、簡易収納ベッド１Ｂでは、収納状態において、先端プレート１８の両端部がベースフレーム１１の先端や伸長フレーム１５の基端側フレーム１６の先端を覆う位置まで伸びていることが望ましい。かかる構造とすれば、収納状態においてベースフレーム１１の先端や伸長フレーム１５の基端側フレーム１６の先端を、先端プレート１８で覆うことができる。すると、収納状態で、ベースフレーム１１の先端や伸長フレーム１５の基端側フレーム１６の先端が露出しないので見栄えが良くなる。
もちろん、上述した簡易収納ベッド１でも、先端プレート１８の両端部がベースフレーム１１の先端や伸長フレーム１５の基端側フレーム１６の先端を覆う位置まで伸びた構造としてもよいのは、いうまでもない。
【００６６】
また、図７および図８では、先端プレート１８の下端部が、底面カバーＣｃの正面を覆う位置まで形成されている場合を示している。つまり、先端プレート１８の下端面が底面カバーＣｃの表面とほぼ同一面上に位置する場合を示している。この場合、伸長フレーム１５を伸ばしたときに、先端プレート１８と底面カバーＣｃを、床などの同一面状に配置できる。したがって、伸長フレーム１５を伸ばしても、簡易収納ベッド１Ｂを安定した状態に配置できる。
しかし、先端プレート１８は、収納状態において、その下端面が底面カバーＣｃの内面上に配置されるように形成してもよい。この場合、伸長フレーム１５を伸ばしたときに、先端プレート１８の下端面が床面などから浮いた状態となる。このため、基端側フレーム１６や先端側フレーム１７の下面に折り畳み式の脚を設けたり、先端プレート１８の下端に配置されるスペーサ等を設けたりしておく。すると、伸長フレーム１５を伸ばしても、簡易収納ベッド１Ｂを安定した状態に配置できる。
【００６７】
（他の実施形態の簡易収納ベッド１Ｃ）
上記例では、天板２の天板用部材３と、支持フレーム１０のベースフレーム１１や伸長フレーム１５の基端側フレーム１６や先端側フレーム１７が別体の場合を説明した。
【００６８】
しかし、複数の天板用部材３が、ベースフレーム１１や基端側フレーム１６、先端側フレーム１７と一体になっていてもよい。つまり、ベースフレーム１１や基端側フレーム１６、先端側フレーム１７が、それぞれ天板３ａ，３ｂ，３ｃ有する箱状に形成されていてもよい。この場合、ベースフレーム１１内の空間に基端側フレーム１６が収容でき、基端側フレーム１６内の空間に先端側フレーム１７が収容できるようにする。つまり、これらのフレーム１１，１６，１７が入れ子状になるように形成する。すると、ベースフレーム１１から、基端側フレーム１６および先端側フレーム１７を引き出せば、簡易ベッド１Ｃを形成できる（図９（Ｃ））。また、ベースフレーム１１内に基端側フレーム１６および先端側フレーム１７を収容すれば、コンパクトに収容することができる（図９（Ａ）、（Ｂ））。
【００６９】
また、上記のごとき構造とした場合、ベースフレーム１１の上面と基端側フレーム１の上面の境界および、基端側フレーム１の上面と先端側フレーム１７の上面の境界には、天板の厚さｔ分の段差ができる。しかし、天板の上面にマットレスなどを載せれば、厚さｔがそれほど厚くなければ、簡易ベッド１Ｃは、段差のない平坦面の場合と同程度の寝心地を確保することができる。例えば、各フレーム１１，１６，１７をＣＦＲＰ（炭素繊維強化プラスチック）で形成すれば、厚さｔは１ｍｍ以下にすることも可能である。すると、フレーム間の境界に段差があっても、天板２の上面を、ほぼ平坦面とすることができる。
【００７０】
なお、上記のごとき構造とした場合、ベースフレーム１１の下面と基端側フレーム１の下面の境界および、基端側フレーム１の下面と先端側フレーム１７の下面の境界にも、ベースフレーム１１の厚さｔ分の段差ができる。すると、支持フレーム１０を伸ばしたときに、基端側フレーム１の下面および先端側フレーム１７の下面は、床面等から浮いた状態となるので、簡易ベッド１Ｃが不安定になる可能性がある。しかし、基端側フレーム１の先端部下面および先端側フレーム１７の先端部下面に、床面との間に配置される脚部ｄを設けておけば、支持フレーム１０を伸ばしても、簡易ベッド１Ｃを安定した状態にすることができる。
【００７１】
また、図１２に示すように、簡易収納ベッド１Ｃは、底板を有しないベースフレーム１１および底板を有しない基端側フレーム１で形成してもよい。つまり、ベースフレーム１１および基端側フレーム１として、下面が開口したものを使用してもよい。この場合には、両フレーム１１，１６の側壁の下端を常時床面に接触させておくことができる。また、先端側フレーム１７は、下面を常時床面に接触させておくことができる。したがって、支持フレーム１０を伸ばしても簡易ベッド１Ｃを安定した状態にすることができる。
【産業上の利用可能性】
【００７２】
本発明の簡易収納ベッドは、病室のベッドサイドや仮眠室、休憩所、災害時の避難場所などにおいて使用するベッドに適している。
【符号の説明】
【００７３】
１          簡易収納ベッド
２          天板
３          天板用板材
１０          支持フレーム
１１          ベースフレーム
１２ａ        側板
１２ｂ        側板
１５          伸長フレーム
１６          基端側フレーム
１６ａ        側板
１６ｂ        側板
１７          先端側フレーム
１７ａ        側板
１７ｂ        側板
１８          先端プレート
【図１】
2016101309.tif 000003
【図２】
2016101309.tif 000004
【図３】
2016101309.tif 000005
【図４】
2016101309.tif 000006
【図５】
2016101309.tif 000007
【図６】
2016101309.tif 000008
【図７】
2016101309.tif 000009
【図８】
2016101309.tif 000010
【図９】
2016101309.tif 000011
【図１０】
2016101309.tif 000012
【図１１】
2016101309.tif 000013
【図１２】
2016101309.tif 000014